(57)【要約】【課題】より受信状態が良好な放送局へ切り替えるまでに要する時間を短縮すること。【解決手段】実施形態に係る放送受信装置は、２つの受信部と、リスト生成部と、記憶部とを備える。一方の受信部は、複数の番組が含まれる放送波を受信して特定の番組を再生する。他方の受信部は、一方の受信部で受信中の放送波とは周波数が異なり、且つ特定の番組が含まれる放送波を受信し、受信状態が一方の受信部よりも良好な場合に、一方の受信部に代わって特定の番組を再生する。リスト生成部は、受信部によって受信されて特定の番組が再生された放送波の周波数に付与されたアンサンブル識別情報と、特定の番組に付与された番組識別情報とを対応付けて対応リストを生成する。不揮発性の記憶部は、放送波を探索する場合に他方の受信部によって参照される対応リストを記憶する。【選択図】図１
2018148319.tif 000002
【特許請求の範囲】
【請求項１】
複数の番組が含まれる放送波を受信して特定の番組を再生する一方の受信部と、
前記一方の受信部で受信中の放送波とは周波数が異なり、且つ前記特定の番組が含まれる放送波を探索して受信し、前記特定の番組の受信状態が前記一方の受信部よりも良好な場合に、前記一方の受信部に代わって前記特定の番組を再生する他方の受信部と、
いずれかの前記受信部によって受信されて前記特定の番組が再生された放送波の周波数に付与されたアンサンブル識別情報と、前記特定の番組に付与された番組識別情報とを対応付けて対応リストを生成するリスト生成部と、
前記放送波を探索する場合に前記他方の受信部によって参照される前記対応リストを記憶する不揮発性の記憶部と
を備えることを特徴とする放送受信装置。
【請求項２】
前記リスト生成部は、
いずれかの前記受信部によって前記特定の番組の再生が開始される毎に、直前まで前記特定の番組が再生されていた放送波の周波数に付与されたアンサンブル識別情報と、前記特定の番組に付与された番組識別情報とを対応付けて前記対応リストへ追加し、
前記他方の受信部は、
前記対応リストへ追加された時期が新しい前記アンサンブル識別情報から順に、前記アンサンブル識別情報が付与された周波数の放送波を探索する
ことを特徴とする請求項１に記載の放送受信装置。
【請求項３】
前記リスト生成部は、
前記対応リストに追加するアンサンブル識別情報と同一のアンサンブル識別情報が前記対応リストに存在する場合に、既存の前記アンサンブル識別情報を前記対応リストから削除する
ことを特徴とする請求項２に記載の放送受信装置。
【請求項４】
前記他方の受信部が前記対応リストを参照して前記放送波を探索する第１のモードと、前記他方の受信部が前記対応リストを参照せずに前記放送波を探索する第２のモードとのうち、いずれか一方のモードを選択するモード選択部
をさらに備えることを特徴とする請求項１〜３のいずれか一つに記載の放送受信装置。
【請求項５】
前記モード選択部によって選択させるモードの入力操作を受け付ける操作受付部
をさらに備えることを特徴とする請求項４に記載の放送受信装置。
【請求項６】
前記モード選択部は、
前記第１のモードを選択中に、前記他方の受信部が所定数の前記放送波を受信しても、前記特定の番組の受信状態が前記一方の受信部よりも良好な前記放送波を受信できない場合に、前記第２のモードを選択する
ことを特徴とする請求項４に記載の放送受信装置。
【請求項７】
コンピュータが実行する放送受信方法であって、
複数の番組が含まれる放送波を一方の受信部が受信して特定の番組を再生する工程と、
前記一方の受信部で受信中の放送波とは周波数が異なり、且つ前記特定の番組が含まれる放送波を他方の受信部が探索して受信し、前記特定の番組の受信状態が前記一方の受信部よりも良好な場合に、前記一方の受信部に代わって前記特定の番組を再生する工程と、
いずれかの前記受信部によって受信されて前記特定の番組が再生された放送波の周波数に付与されたアンサンブル識別情報と、前記特定の番組に付与された番組識別情報とをリスト生成部が対応付けて対応リストを生成する工程と、
前記放送波を探索する場合に前記他方の受信部によって参照される前記対応リストを不揮発性の記憶部が記憶する工程と
を含むことを特徴とする放送受信方法。
【請求項８】
複数の番組が含まれる放送波を一方の受信部が受信して特定の番組を再生する手順と、
前記一方の受信部で受信中の放送波とは周波数が異なり、且つ前記特定の番組が含まれる放送波を他方の受信部が探索して受信し、前記特定の番組の受信状態が前記一方の受信部よりも良好な場合に、前記一方の受信部に代わって前記特定の番組を再生する手順と、
いずれかの前記受信部によって受信されて前記特定の番組が再生された放送波の周波数に付与されたアンサンブル識別情報と、前記特定の番組に付与された番組識別情報とをリスト生成部が対応付けて対応リストを生成する手順と、
前記放送波を探索する場合に前記他方の受信部によって参照される前記対応リストを不揮発性の記憶部が記憶する手順と
をコンピュータに実行させることを特徴とする放送受信プログラム。
【発明の詳細な説明】
【技術分野】
【０００１】
開示の実施形態は、放送受信装置、放送受信方法、および放送受信プログラムに関する。
【背景技術】
【０００２】
従来、受信可能な全周波数を探索して放送番組の受信電界強度が所定値を超える放送局に関するデータをメモリに格納し、受信状態が良好な放送局をメモリに格納したデータに基づいて選局する放送受信装置がある（例えば、特許文献１参照）。
【先行技術文献】
【特許文献】
【０００３】
【特許文献１】特開２００７−２４３７０８号公報
【発明の概要】
【発明が解決しようとする課題】
【０００４】
しかしながら、放送受信装置は、受信可能な全周波数の探索が完了するまで、受信状態が良好な放送局を選局することができないため、より受信状態が良好な放送局へ切り替えるまでに長い時間を要することがある。
【０００５】
実施形態の一態様は、上記に鑑みてなされたものであって、より受信状態が良好な放送局へ切り替えるまでに要する時間を短縮することができる放送受信装置、放送受信方法、および放送受信プログラムを提供することを目的とする。
【課題を解決するための手段】
【０００６】
実施形態の一態様に係る放送受信装置は、一方の受信部と、他方の受信部と、リスト生成部と、記憶部とを備える。一方の受信部は、複数の番組が含まれる放送波を受信して特定の番組を再生する。他方の受信部は、前記一方の受信部で受信中の放送波とは周波数が異なり、且つ前記特定の番組が含まれる放送波を探索して受信し、前記特定の番組の受信状態が前記一方の受信部よりも良好な場合に、前記一方の受信部に代わって前記特定の番組を再生する。リスト生成部は、いずれかの前記受信部によって受信されて前記特定の番組が再生された放送波の周波数に付与されたアンサンブル識別情報と、前記特定の番組に付与された番組識別情報とを対応付けて対応リストを生成する。不揮発性の記憶部は、前記放送波を探索する場合に前記他方の受信部によって参照される前記対応リストを記憶する。
【発明の効果】
【０００７】
実施形態の一態様に係る放送受信装置、放送受信方法、および放送受信プログラムは、より受信状態が良好な放送局へ切り替えるまでに要する時間を短縮することができる。
【図面の簡単な説明】
【０００８】
【図１】図１は、実施形態に係る放送受信方法の説明図である。
【図２】図２は、実施形態に係る放送受信装置の構成の一例を示す説明図である。
【図３】図３は、実施形態に係る対応リストの一例を示す説明図である。
【図４】図４は、実施形態に係る一時リストの一例を示す説明図である。
【図５】図５は、実施形態に係る対応リストの生成手順の一例を示す説明図である。
【図６】図６は、実施形態に係る受信部が実行する処理を示すフローチャートである。
【図７】図７は、実施形態に係る受信部が実行する処理を示すフローチャートである。
【図８】図８は、実施形態に係る受信部が実行する処理を示すフローチャートである。
【図９】図９は、実施形態に係る受信部が実行する処理を示すフローチャートである。
【図１０】図１０は、実施形態に係るリスト生成部が実行する処理を示すフローチャートである。
【発明を実施するための形態】
【０００９】
以下、添付図面を参照して、本願の開示する放送受信装置、放送受信方法、および放送受信プログラムの実施形態を詳細に説明する。なお、以下に示す実施形態によりこの発明が限定されるものではない。
【００１０】
図１は、実施形態に係る放送受信方法の説明図である。以下では、実施形態に係る放送受信装置が車両に搭載され、ＤＡＢ（Digital  Audio  Broadcast）によって放送されるデジタルラジオの放送波を受信する車載装置である場合を挙げて説明する。なお、以下では、実施形態に係る放送受信装置が搭載される車両を自車両Ｃと記載する。
【００１１】
ＤＡＢでは、複数の周波数を複数の放送局が共用して様々なサービス（以下、「番組」と記載する）が放送される。このため、各周波数の放送波には、同時に放送される複数の番組が含まれている。
【００１２】
これにより、放送受信装置は、例えば、２つの受信部を備える場合、一方の受信部によって番組を再生中に、現在再生中の番組と同一の番組を含み、より受信状態が良好な他の周波数の放送波を他方の受信部によって探索して選局することができる。
【００１３】
また、ＤＡＢでは、各放送波の周波数に固有のアンサンブル識別情報（以下、「ＥＩＤ」と記載する）が付与されており、各番組に固有の番組識別情報（以下、「ＳＩＤ」と記載する）が付与されている。
【００１４】
これにより、放送受信装置は、例えば、全周波数を探索して各放送波のＥＩＤと、各放送波に含まれる複数の番組のＳＩＤとを対応付けてリストを作成してメモリに格納しておき、リストを参照することで受信状態が良好な放送波を選局することができる。
【００１５】
しかしながら、放送受信装置は、受信可能な全周波数の探索が完了するまで、受信状態が良好な放送局を選局することができないため、より受信状態が良好な放送局へ切り替えるまでに長い時間を要することがある。
【００１６】
そこで、実施形態に係る放送受信装置は、一方の受信部で受信中の放送波から他方の受信部で受信した放送波に切り替えて同一の番組を継続して再生する場合に、切り替え直前まで受信していた放送波のＥＩＤと番組のＳＩＤとを対応付けて対応リストを生成する。
【００１７】
その後、放送受信装置は、他方の受信部で受信中の放送波から一方の受信部で受信した放送波に切り替えて同一の番組を継続して再生する場合に、切り替え直前まで受信していた放送波のＥＩＤと番組のＳＩＤとを対応付けて対応リストに追加する。
【００１８】
以後、放送受信装置は、受信する放送波を切り替えて同一の番組を再生する度に、切り替え直前まで受信していた放送波のＥＩＤと番組のＳＩＤとを対応付けて順次対応リストに追加する。そして、放送受信装置は、生成する対応リストを不揮発性記憶部に記憶させ、電源がＯＦＦになっても対応リストを不揮発性の記憶部に保持させる。
【００１９】
これにより、放送受信装置は、次に電源がＯＮになり、例えば、自車両Ｃが走行してきた元のエリアへ戻る場合に、全周波数を探索しなくても対応リストを参照することで、受信状況が良好な放送波を順次選局して同一の番組を継続して再生することができる。
【００２０】
例えば、図１に示すように、放送受信装置は、時刻Ｔ１で自車両ＣのＩＧ（イグニッションスイッチ）がＯＮにされて電源がＯＮになると、前回ＩＧがＯＦＦにされた時点で受信していたＥＩＤ１０１の放送波を受信してＳＩＤ２０１の番組を再生する。
【００２１】
その後、ＥＩＤ１０１の放送波が放送されるエリアＡ１からＥＩＤ１１１の放送波が放送されるエリアＡ１０へ向けて自車両Ｃが走行する場合、時刻Ｔ２でより受信状態が良好なＥＩＤ１１１の放送波でＳＩＤ２０１の番組が放送されていることがある。
【００２２】
かかる場合、放送受信装置は、ＥＩＤ１１１の放送波に切り替えてＳＩＤ２０１の番組を継続して再生する。そして、放送受信装置は、時刻Ｔ３で切り替え前まで受信していた放送波のＥＩＤ１０１と番組のＳＩＤ２０１とを対応付けて対応リスト生成し、不揮発性記憶部に記憶させる。
【００２３】
その後、放送受信装置は、時刻Ｔ４で自車両ＣのＩＧがＯＦＦにされた場合、電源がＯＦＦになっても対応リストを不揮発性の記憶部に保持させることができる。そして、放送受信装置は、時刻Ｔ５で自車両ＣのＩＧがＯＮになると、前回ＩＧがＯＦＦにされた時点で受信していたＥＩＤ１１１の放送波を受信してＳＩＤ２０１の番組を再生する。
【００２４】
その後、放送受信装置は、時刻Ｔ６でＥＩＤ１０１の放送波が放送されるエリアＡ１に近付いた場合、対応リストを参照し、ＥＩＤ１０１の放送波へ切り替え、ＳＩＤ２０１の番組を継続して再生する。そして、放送受信装置は、時刻Ｔ７で切り替え前まで受信していた放送波のＥＩＤ１１１と番組のＳＩＤ２０１とを対応付けて対応リストに追加する。
【００２５】
このように、放送受信装置は、時刻Ｔ６で対応リストを参照することにより、即座にＥＩＤ１０１の放送波へ切り替えてＳＩＤ２０１の番組を継続して再生することができるので、受信状態が良好な放送局へ切り替えるまでに要する時間を短縮することができる。
【００２６】
また、放送受信装置は、直前まで受信していた放送波のＥＩＤと番組のＳＩＤとを対応付けて対応リストに追加する場合、対応リストを次回参照する際に最初に参照する最上位に追加する。
【００２７】
これにより、放送受信装置は、自車両Ｃが走行してきた元のエリアに戻る場合に、対応リストで最上位のＥＩＤおよびＳＩＤを参照することによって、受信状態が良好な放送局へ切り替えるまでに要する時間を短縮し、同一の番組を継続して再生することができる。
【００２８】
次に、実施形態に係る放送受信装置の構成の一例について説明する。図２は、実施形態に係る放送受信装置１の構成の一例を示す説明図である。なお、図２では、本実施形態の特徴を説明するために必要な構成要素のみを機能ブロックで表しており、一般的な構成要素についての記載を省略している。
【００２９】
換言すれば、図２に図示される各構成要素は機能概念的なものであり、必ずしも物理的に図示の如く構成されていることを要しない。例えば、各機能ブロックの分散・統合の具体的形態は図示のものに限られず、その全部または一部を、各種の負荷や使用状況などに応じて、任意の単位で機能的または物理的に分散・統合して構成することが可能である。
【００３０】
図２に示すように、放送受信装置１は、制御部２と記憶部３とを備える。制御部２は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。
【００３１】
制御部２は、ＣＰＵがＲＯＭに記憶された放送受信プログラムを、ＲＡＭを作業領域として使用して実行することにより機能する複数の処理部を備える。具体的には、制御部２は、２つの受信部２１ａ、２１ｂ、合成部２２、リスト生成部２３、モード選択部２４、および操作受付部２５を備える。
【００３２】
なお、制御部２は、それぞれ一部または全部がＡＳＩＣ（Application  Specific  Integrated  Circuit）やＦＰＧＡ（Field  Programmable  Gate  Array）等のハードウェアで構成されてもよい。
【００３３】
記憶部３は、ハードディスクドライブや不揮発性メモリ、レジスタといった記憶デバイスであり、不揮発性記憶部３１および揮発性記憶部３２を備える。不揮発性記憶部３１は、対応リスト３３を記憶し、放送受信装置１の電源がＯＦＦになっても記憶中の対応リスト３３を保持する。揮発性記憶部３２は、一時リスト３４を記憶し、放送受信装置１の電源がＯＦＦになった場合に、記憶中の一時リスト３４が消失する。
【００３４】
受信部２１ａは、アンテナ４１に接続され、アンテナ４１を介して放送波を受信する。また、受信部２１ｂは、アンテナ４２に接続され、アンテナ４２を介して放送波を受信する。
【００３５】
以下では、便宜上、受信部２１ａを一方の受信部２１ａと称し、受信部２１ｂを他方の受信部２１ｂと称するが、一方の受信部２１ａおよび他方の受信部２１ｂは、同一の構成である。このため、一方の受信部２１ａおよび他方の受信部２１ｂを区別することなく、一方の受信部２１ａおよび他方の受信部２１ｂのいずれかを指す場合には、受信部２１と称する。
【００３６】
放送受信装置１では、一方の受信部２１ａがメインチューナとして機能する期間に、他方の受信部２１ｂがサブチューナとして機能する。また、他方の受信部２１ｂがメインチューナとして機能する期間に、一方の受信部２１ａがサブチューナとして機能する。
【００３７】
これら２つの受信部２１は、接続されており、互いに各種情報の授受を行うことができる。例えば、一方の受信部２１ａは、他方の受信部２１ｂで受信中の放送波のＥＩＤ、放送波に含まれる複数のＳＩＤ、および放送波の受信電界強度等の情報を他方の受信部２１ｂから取得することができる。
【００３８】
また、他方の受信部２１ｂは、一方の受信部２１ａで受信中の放送波のＥＩＤ、放送波に含まれる複数のＳＩＤ、および放送波の受信電界強度等の情報を一方の受信部２１ａから取得することができる。
【００３９】
また、他方の受信部２１ｂは、後に詳述する対応リストや一時リスト３４の情報を記憶部３から取得し、取得した対応リスト３３や一時リスト３４の情報を一方の受信部２１ａへ出力することができる。また、他方の受信部２１ｂは、モード選択部２４から入力される情報を一方の受信部２１ａへ出力することもできる。
【００４０】
また、２つの受信部２１のうち、メインチューナとして機能する受信部２１（以下、「メインチューナ」と記載することがある）は、ユーザによって指定される周波数の放送波を受信し、ユーザによって指定される番組を再生して合成部２２へ出力する。
【００４１】
サブチューナとして機能する受信部２１（以下、「メインチューナ」と記載することがある）は、メインチューナで受信中の放送波とは周波数が異なり、メインチューナよりも受信状態が良好な放送波をバックグラウンドで探索して受信する。そして、サブチューナは、受信した放送波にメインチューナで再生中の番組と同一の番組が含まれている場合に、メインチューナに代わって番組を再生して合成部２２へ出力する。
【００４２】
これにより、サブチューナとして機能する受信部２１は、メインチューナとして機能するようになる。また、それまでメインチューナとして機能していた受信部２１は、サブチューナとして機能するようになる。
【００４３】
このとき、それまでメインチューナとして機能していた受信部２１は、合成部２２へ出力する番組の音量を徐々に低減させる。また、これからメインチューナとして機能する受信部２１は、合成部２２へ出力する番組の音量を徐々に増大させる。
【００４４】
合成部２２は、スピーカ５に接続され、一方の受信部２１ａおよび他方の受信部２１ｂから入力される番組の音声を合成してスピーカ５へ出力する。かかる合成部２２は、メインチューナとサブチューナとの機能が切り替わる場合、前述のように、サブチューナになる受信部２１から入力される番組の音量が徐々に低減され、メインチューナになる受信部２１から入力される番組の音量が徐々に増大される。
【００４５】
これにより、合成部２２は、メインチューナとサブチューナとの機能が切り替わったことによる違和感をユーザに与えることなく、同一の番組の音声を継続してスピーカ５へ出力することができる。
【００４６】
リスト生成部２３は、サブチューナが受信可能な放送波を探索する場合に参照する対応リスト３３および一時リスト３４を生成して記憶部３へ記憶させる。ここで、図３および図４を参照し、実施形態に係る対応リスト３３および一時リスト３４の一例について説明する。図３は、実施形態に係る対応リスト３３の一例を示す説明図である。図４は、実施形態に係る一時リスト３４の一例を示す説明図である。
【００４７】
リスト生成部２３は、受信部２１から入力される受信情報に基づいて対応リスト３３および一時リスト３４を生成する。受信情報には、例えば、受信部２１によって受信された放送波の周波数に付与されたＥＩＤ、一つの放送波に含まれる複数の各番組のＳＩＤ、各番組の時間的な再生位置、および放送波の受信電界強度等が含まれる。
【００４８】
そして、リスト生成部２３は、いずれかの受信部２１によって受信されて特定の番組が再生された放送波の周波数に付与されたＥＩＤと、特定の番組に付与されたＳＩＤとを対応付けて対応リスト３３を生成する。
【００４９】
例えば、リスト生成部２３は、直前までＥＩＤ１１２の放送波が受信され、その前にＥＩＤ１０１の放送波が受信され、さらに、その前にＥＩＤ１４２の放送波が受信されて、ＳＩＤ２０１の番組が継続して再生された場合、図３に示す対応リスト３３を生成する。
【００５０】
このように、リスト生成部２３は、継続して再生される同一番組が含まれる放送波のＥＩＤと番組のＳＩＤとを対応付け、受信された時期が新しい放送波のＥＩＤほど上位となるような対応リスト３３を生成し、不揮発性記憶部３１に記憶させる。なお、対応リスト３３の作成手順については、図５を参照して後述する。
【００５１】
また、図４に示すように、リスト生成部２３は、受信部２１から入力される受信情報に基づいて、受信部２１によって受信された全ての放送波のＥＩＤと、各放送波に含まれる全ての番組のＳＩＤとを対応付けて一時リスト３４を生成する。そして、リスト生成部２３は、生成した一時リスト３４を揮発性記憶部３２に記憶させる。
【００５２】
図２へ戻り、モード選択部２４は、サブチューナが対応リスト３３を参照して放送波を探索する第１のモードと、サブチューナが対応リスト３３を参照せずに放送波を探索する第２のモードとのうち、いずれか一方のモードを選択する処理部である。
【００５３】
モード選択部２４は、第１モードおよび第２モードから選択したいずれか一方のモードを示す情報を一方の受信部２１ａおよび他方の受信部２１ｂへ出力する。これにより、各受信部２１は、サブチューナとして機能する場合、第１モードでは対応リスト３３を参照して放送波を探索し、第２モードでは、対応リスト３３を参照せずに放送波を探索する。
【００５４】
操作受付部２５は、モード選択部２４によって選択させるモードのユーザによる入力操作を受け付け、受付けたモードを示す情報をモード選択部２４へ出力する。これにより、モード選択部２４は、操作受付部２５から入力される情報に応じたモードを示す情報を受信部２１ａおよび他方の受信部２１ｂへ出力する。
【００５５】
ここで、受信部２１は、対応リスト３３を参照する場合、対応リスト３３で上位に位置するＥＩＤの放送波、つまり、過去に受信していた時期が新しい放送波から順に参照して放送波の探索を行う。
【００５６】
このため、対応リスト３３を参照して放送波を探索する第１モードは、例えば、通勤時のように、自車両Ｃが同一の走行経路を往復する場合に、受信部２１が再生中の番組と同一の番組を放送中のより受信状態が良好な他の放送波を探索するのに有効である。
【００５７】
このため、ユーザは、日ごろ頻繁に自車両Ｃで移動するエリアでは、第１モードを選択する操作を行うことにより、再生中の番組と同一の番組を放送中のより受信状態が良好な他の放送波を迅速にサブチューナによって探索させることができる。
【００５８】
しかし、第１モードは、例えば、旅行時のように、自車両Ｃがそれまでに走行していないエリアを走行する場合には、有効でない。このため、ユーザは、初めて行くエリアでは、第２モードを選択する操作を行うことによって、初めて行くエリアでも再生中の番組と同一の番組を放送中のより受信状態が良好な他の放送波を迅速にサブチューナによって探索させることができる。
【００５９】
このように、放送受信装置１は、モード選択部２４によって選択するモードを切り替えることにより、自車両Ｃが走行するエリアに応じて、再生中の番組と同一の番組を放送中のより受信状態が良好な他の放送波を迅速に探索することができる。
【００６０】
次に、図５を参照し、リスト生成部２３が行う対応リスト３３の生成手順の一例について説明する。図５は、実施形態に係る対応リスト３３の生成手順の一例を示す説明図である。ここでは、図５に示すように、時刻ｔ１で自車両ＣのＩＧがＯＮになり、受信部２１がＥＩＤ１０１の放送波を選択してＳＩＤ２０１の番組を再生した後に、時刻ｔ２からリスト生成部２３が対応リスト３３を生成する手順について説明する。
【００６１】
リスト生成部２３は、時刻ｔ２でエリアＡ２に入り、受信部２１がＥＩＤ１０２の放送波を選択してＳＩＤ２０１の番組を再生すると、受信部２１で直前まで選択されていたＥＩＤ１０１とＳＩＤ２０１とを対応付けて対応リスト３３を生成する。
【００６２】
その後、リスト生成部２３は、時刻ｔ３でエリアＡ３に入り、受信部２１がＥＩＤ１０３の放送波を選択してＳＩＤ２０１の番組を再生すると、受信部２１で直前まで選択されていたＥＩＤ１０２とＳＩＤ２０１とを対応付けて対応リスト３３の最上位に追加する。
【００６３】
その後、リスト生成部２３は、時刻ｔ４でエリアＡ４に入り、受信部２１がＥＩＤ１０４の放送波を選択してＳＩＤ２０１の番組を再生すると、受信部２１で直前まで選択されていたＥＩＤ１０３とＳＩＤ２０１とを対応付けて対応リスト３３の最上位に追加する。
【００６４】
その後、時刻ｔ５でエリアＡ４からエリアＡ３へ向かう場合、受信部２１は、対応リスト３３の最上位に位置するＥＩＤ１０３の放送波を選択して受信するだけで、時刻ｔ６でエリアＡ３に入ると、ＳＩＤ２０１の番組を再生することができる。
【００６５】
そして、リスト生成部２３は、時刻ｔ６で受信部２１がＥＩＤ１０３の放送波を選択してＳＩＤ２０１の番組を再生すると、受信部２１で直前まで選択されていたＥＩＤ１０４とＳＩＤ２０１とを対応付けて対応リスト３３の最上位に追加する。
【００６６】
その後、時刻ｔ６でエリアＡ３からエリアＡ２へ向かう場合、受信部２１は、対応リスト３３の最上位から順にＥＩＤを参照して、受信状態が良好な放送波を探索する。このとき、受信部２１は、時刻ｔ６で選択中のＥＩＤ１０３の放送波を探索対象から除外する。
【００６７】
これにより、受信部２１は、対応リスト３３の最上位に位置するＥＩＤ１０４を選択してもエリアＡ２ではＳＩＤ２０１の番組を再生できないが、次にＥＩＤ１０２を選択すれば、時刻ｔ７でエリアＡ２に入ると、ＳＩＤ２０１の番組の再生が可能になる。
【００６８】
そして、リスト生成部２３は、時刻ｔ７で受信部２１がＥＩＤ１０２の放送波を選択してＳＩＤ２０１の番組を再生すると、受信部２１で直前まで選択されていたＥＩＤ１０３とＳＩＤ２０１とを対応付けて対応リスト３３の最上位に追加する。
【００６９】
ここで、対応リスト３３には、今回追加したＥＩＤ１０３が既に存在している。このため、対応リスト３３は、今回対応リスト３３に追加したＥＩＤが対応リスト３３に既に存在する場合、既存の方のＥＩＤを対応リスト３３から削除する。
【００７０】
これにより、リスト生成部２３は、受信部２１が対応リスト３３に追加された複数の同じＥＩＤを重複して無駄に参照することを防止することによって、受信部２１の処理負荷を低減することができる。しかも、リスト生成部２３は、追加したＥＩＤと同一の既存のＥＩＤを対応リスト３３から削除することによって、不揮発性記憶部３１の記憶領域を有効利用することができる。
【００７１】
その後、時刻ｔ７でエリアＡ２からエリアＡ１へ向かう場合、受信部２１は、対応リスト３３の最上位にから順にＥＩＤを参照して、受信状態が良好な放送波を探索する。このとき、受信部２１は、時刻ｔ７で選択中のＥＩＤ１０２の放送波を探索対象から除外する。
【００７２】
これにより、受信部２１は、対応リスト３３の最上位から順にＥＩＤ１０３、１０４を選択してもエリアＡ１ではＳＩＤ２０１の番組を再生できないが、次にＥＩＤ１０１を選択すれば、時刻ｔ８でエリアＡ１に入ると、ＳＩＤ２０１の番組の再生が可能になる。
【００７３】
そして、リスト生成部２３は、時刻ｔ８で受信部２１がＥＩＤ１０１の放送波を選択してＳＩＤ２０１の番組を再生すると、受信部２１で直前まで選択されていたＥＩＤ１０２とＳＩＤ２０１とを対応付けて対応リスト３３の最上位に追加する。そして、ここでも対応リスト３３には、今回追加したＥＩＤ１０２が既に存在している。このため、対応リスト３３は、既存の方のＥＩＤ１０２を対応リスト３３から削除する。
【００７４】
このように、受信部２１は、一時リスト３４にくらべて非常に少ない数のＥＩＤとＳＩＤとが対応付けられた対応リスト３３を参照することによって、より受信状態が良好な放送局へ切り替えるまでに要する時間を短縮することができる。
【００７５】
次に、図６〜図９を参照して実施形態に係る受信部２１が実行する処理について説明する。図６〜図９は、実施形態に係る受信部２１が実行する処理を示すフローチャートである。受信部２１は、放送受信装置１の電源がＯＮとなっている期間に、図６に示す処理を実行する。
【００７６】
具体的には、図６に示すように、受信部２１は、放送受信装置１の電源がＯＮになると、まず、前回終了時にメインチューナとして機能していたか否かを判定する（ステップＳ１０１）。なお、ここでの前回終了時は、放送受信装置１の電源が前回ＯＦＦにされた時点のことである。
【００７７】
そして、受信部２１は、前回終了時にメインチューナとして機能していなかったと判定した場合（ステップＳ１０１，Ｎｏ）、サブチューナとして機能してサブチューナ処理を実行し（ステップＳ１０５）、処理を終了する。なお、サブチューナ処理の詳細については、図７を参照して後述する。
【００７８】
また、受信部２１は、前回終了時にメインチューナとして機能していたと判定した場合（ステップＳ１０１，Ｙｅｓ）、メインチューナとして機能してステップＳ１０２以降の処理を行う。なお、受信部２１は、後述するステップＳ２０４、Ｓ３０４、Ｓ３０６、Ｓ４０３で代替可能な放送波と判定した場合にも、ステップＳ１０２以降の処理を行う。
【００７９】
具体的には、受信部２１は、現在選択中のＥＩＤの放送波を受信し（ステップＳ１０２）、現在選択中のＳＩＤの番組を再生する（ステップＳ１０３）。続いて、受信部２１は、サブチューナとして機能している他方の受信部２１が代替可能な放送波を受信したか否かの判定を行う（ステップＳ１０４）。
【００８０】
このとき、受信部２１は、現在受信中の放送波とは周波数が異なり、且つ現在再生中の番組と同一の番組が放送されている他の放送波を他方の受信部２１がより良好な受信状態で受信した場合に、他方の受信部２１が代替可能な放送波を受信したと判定する。
【００８１】
具体的には、メインチューナとして機能している受信部２１は、例えば、下記５つの条件が全て成立した場合に、他方の受信部２１が代替可能な放送波を受信したと判定する。１つ目の条件は、メインチューナとして機能している受信部２１が再生中の番組に付与されたＳＩＤと、サブチューナとして機能している他方の受信部２１が受信中の番組に付与されたＳＩＤとが同一であることである。
【００８２】
２つ目の条件は、メインチューナとして機能している受信部２１が受信中の放送波の周波数に付与されたＥＩＤと、サブチューナとして機能している他方の受信部２１が受信中の放送波の周波数に付与されたＥＩＤとが異なることである。
【００８３】
３つ目の条件は、メインチューナとして機能している受信部２１が受信中の放送波の受信電界強度よりも、サブチューナとして機能している他方の受信部２１が受信中の放送波の受信電界強度が高いことである。
【００８４】
４つ目の条件は、メインチューナとして機能している受信部２１が再生中の番組の時間的な再生位置と、サブチューナとして機能している他方の受信部２１が受信中の番組の時間的な再生位置との差が所定範囲内であることである。
【００８５】
５つ目の条件は、メインチューナとして機能している受信部２１が再生中の番組の音量と、サブチューナとして機能している他方の受信部２１が受信中の番組の音量との差が所定範囲内であることである。
【００８６】
そして、受信部２１は、他方の受信部２１が代替可能な放送波を受信していないと判定した場合（ステップＳ１０４，Ｎｏ）、処理をステップＳ１０２へ移す。また、受信部２１は、他方の受信部２１が代替可能な放送波を受信したと判定した場合（ステップＳ１０４，Ｙｅｓ）、サブチューナとして機能してサブチューナ処理を実行し（ステップＳ１０５）、処理を終了する。次に、図７を参照してサブチューナ処理について説明する。
【００８７】
図７に示すように、受信部２１は、サブチューナ処理を開始すると、まず、第１モードか否かの判定を行う（ステップＳ２０１）。そして、受信部２１は、第１モードでないと判定した場合（ステップＳ２０１，Ｎｏ）、第２モード処理を実行し（ステップＳ２０７）、処理を終了する。なお、第２モード処理の詳細については、図８を参照して後述する。
【００８８】
また、受信部２１は、第１モードであると判定した場合（ステップＳ２０１，Ｙｅｓ）、対応リスト３３におけるＥＩＤの参照番号を示す変数Ｙに１を代入し（ステップＳ２０２）する。その後、受信部２１は、対応リスト３３でＹ番目に上位のＥＩＤを選択し、選択したＥＩＤが付与されている周波数の放送波を受信する（ステップＳ２０３）。
【００８９】
続いて、受信部２１は、受信した放送波がメインチューナとして機能している他方の受信部２１によって受信中の放送波と代替可能な放送波か否かを判定する（ステップＳ２０４）。このとき、受信部２１は、例えば、下記５つの条件が全て成立した場合に、代替可能な放送波であると判定する。
【００９０】
１つ目の条件は、サブチューナとして機能している受信部２１が受信中の番組に付与されたＳＩＤと、メインチューナとして機能している他方の受信部２１が再生中の番組に付与されたＳＩＤとが同一であることである。
【００９１】
２つ目の条件は、サブチューナとして機能している受信部２１が受信中の放送波の周波数に付与されたＥＩＤと、メインチューナとして機能している他方の受信部２１が受信中の放送波の周波数に付与されたＥＩＤとが異なることである。
【００９２】
３つ目の条件は、サブチューナとして機能している受信部２１が受信中の放送波の受信電界強度の方が、メインチューナとして機能している他方の受信部２１が受信中の放送波の受信電界強度よりも高いことである。
【００９３】
４つ目の条件は、サブチューナとして機能している受信部２１が再生中の番組の時間的な再生位置と、メインチューナとして機能している他方の受信部２１が受信中の番組の時間的な再生位置との差が所定範囲内であることである。
【００９４】
５つ目の条件は、サブチューナとして機能している受信部２１が再生中の番組の音量と、メインチューナとして機能している他方の受信部２１が受信中の番組の音量との差が所定範囲内であることである。
【００９５】
そして、サブチューナとして機能している受信部２１は、代替可能な放送波であると判定した場合（ステップＳ２０４，Ｙｅｓ）、処理を図６に示すステップＳ１０２へ移し、メインチューナとして機能する。
【００９６】
また、受信部２１は、代替可能な放送波でないと判定した場合（ステップＳ２０４，Ｎｏ）、前述した変数Ｙの値を１インクリメントする（ステップＳ２０５）。その後、受信部２１は、変数Ｙが対応リスト３３に登録されているＥＩＤの数Ｙｍａｘより大きいか否かを判定する（ステップＳ２０６）。
【００９７】
そして、受信部２１は、変数Ｙが対応リスト３３に登録されているＥＩＤの数Ｙｍａｘより大きくないと判定した場合（ステップＳ２０６，Ｎｏ）、処理をステップＳ２０３へ移す。また、受信部２１は、対応リスト３３に登録されているＥＩＤの数Ｙｍａｘより大きいと判定した場合（ステップＳ２０６，Ｙｅｓ）、第２モード処理を実行し（ステップＳ２０７）、処理を終了する。次に、図８を参照して第２モード処理について説明する。
【００９８】
図８に示すように、受信部２１は、第２モード処理を開始すると、まず、記憶部３に一時リスト３４があるか否かを判定する（ステップＳ３０１）。そして、受信部２１は、一時リスト３４がないと判定した場合（ステップＳ３０１，Ｎｏ）、一時リストなし処理を実行し（ステップＳ３０９）、処理を終了する。なお、一時リストなし処理の詳細については、図９を参照して後述する。
【００９９】
また、受信部２１は、一時リスト３４があると判定した場合（ステップＳ３０１，Ｙｅｓ）、一時リスト３４からＥＩＤを選択する場合に参照する変数Ｎに１を代入する（ステップＳ３０２）。
【０１００】
その後、受信部２１は、一時リスト３４で現在のＥＩＤ＋Ｎ番目の放送波を受信する（ステップＳ３０３）。具体的には、受信部２１は、メインチューナとして機能している他方の受信部２１によって選択されているＥＩＤが付与された周波数よりも、一時リスト３４内でＮ番目に高い周波数に付与されたＥＩＤの放送波を受信する。
【０１０１】
そして、受信部２１は、受信した放送波がメインチューナとして機能している他方の受信部２１によって受信中の放送波と代替可能な放送波か否かを判定する（ステップＳ３０４）。このとき、受信部２１は、前述したステップＳ２０４の判定処理で使用した５つの条件と同一の条件が全て成立した場合に、代替可能な放送波であると判定する。
【０１０２】
そして、受信部２１は、代替可能な放送波であると判定した場合（ステップＳ３０４，Ｙｅｓ）、処理を図６に示すステップＳ１０２へ移し、メインチューナとして機能する。また、受信部２１は、代替可能な放送波でないと判定した場合（ステップＳ３０４，Ｎｏ）、一時リスト３４で現在のＥＩＤ―Ｎ番目の放送波を受信する（ステップＳ３０５）。
【０１０３】
具体的には、受信部２１は、メインチューナとして機能している他方の受信部２１によって選択されているＥＩＤが付与された周波数よりも、一時リスト３４内でＮ番目に低い周波数に付与されたＥＩＤの放送波を受信する。
【０１０４】
そして、受信部２１は、受信した放送波がメインチューナとして機能している他方の受信部２１によって受信中の放送波と代替可能な放送波か否かを判定する（ステップＳ３０６）。このとき、受信部２１は、前述したステップＳ２０４の判定処理で使用した５つの条件と同一の条件が全て成立した場合に、代替可能な放送波であると判定する。
【０１０５】
そして、受信部２１は、代替可能な放送波であると判定した場合（ステップＳ３０６，Ｙｅｓ）、処理を図６に示すステップＳ１０２へ移し、メインチューナとして機能する。また、受信部２１は、代替可能な放送波でないと判定した場合（ステップＳ３０６，Ｎｏ）、一時リスト３４内に未受信の放送波のＥＩＤがあるか否かを判定する（ステップＳ３０７）。
【０１０６】
そして、受信部２１は、未受信の放送波のＥＩＤがあると判定した場合（ステップＳ３０７，Ｙｅｓ）、前述した変数Ｎの値を１インクリメントし（ステップＳ３０８）、処理をステップＳ３０３へ移す。
【０１０７】
また、受信部２１は、未受信の放送波のＥＩＤがないと判定した場合（ステップＳ３０７，Ｎｏ）、一時リストなし処理を実行し（ステップＳ３０９）、処理を終了する。次に、図９を参照して、一時リストなし処理について説明する。
【０１０８】
図９に示すように、受信部２１は、一時リストなし処理を開始すると、まず、受信可能な放送波の周波数を探索し（ステップＳ４０１）、放送波の受信に成功したか否かを判定する（ステップＳ４０２）。そして、受信部２１は、放送波の受信に失敗したと判定した場合（ステップＳ４０２，Ｎｏ）、処理を終了する。
【０１０９】
また、受信部２１は、放送波の受信に成功したと判定した場合（ステップＳ４０２，Ｙｅｓ）、受信した放送波がメインチューナとして機能している他方の受信部２１によって受信中の放送波と代替可能な放送波か否かを判定する（ステップＳ４０３）。このとき、受信部２１は、前述したステップＳ２０４の判定処理で使用した５つの条件と同一の条件が全て成立した場合に、代替可能な放送波であると判定する。
【０１１０】
そして、受信部２１は、代替可能な放送波であると判定した場合（ステップＳ４０３，Ｙｅｓ）、処理を図６に示すステップＳ１０２へ移し、メインチューナとして機能する。また、受信部２１は、代替可能な放送波でないと判定した場合（ステップＳ４０３，Ｎｏ）、全周波数の探索が完了したか否かを判定する（ステップＳ４０４）。
【０１１１】
そして、受信部２１は、全周波数の探索が完了していないと判定した場合（ステップＳ４０４，Ｎｏ）、処理をステップＳ４０１へ移す。また、受信部２１は、全周波数の探索が完了したと判定した場合（ステップＳ４０４，Ｙｅｓ）、処理を終了する。
【０１１２】
次に、図１０を参照して、実施形態に係るリスト生成部２３が実行する処理について説明する。図１０は、実施形態に係るリスト生成部２３が実行する処理を示すフローチャートである。リスト生成部２３は、放送受信装置１の電源がＯＮとなっている期間に、図１０に示す処理を実行する。
【０１１３】
具体的には、図１０に示すように、リスト生成部２３は、放送受信装置１の電源がＯＮになると、まず、一時リスト３４を作成する（ステップＳ５０１）。このとき、リスト生成部２３は、放送が行われている全周波数のＥＩＤおよび各ＥＩＤに対応するＳＩＤを追加可能な一時リスト３４、つまり、空の状態の一時リスト３４を作成する。
【０１１４】
その後、リスト生成部２３は、受信部２１から受信情報の入力があるか否かを判定する（ステップＳ５０２）。ここでの受信情報には、例えば、受信部２１によって受信された放送波の周波数に付与されたＥＩＤ、一つの放送波に含まれる複数の各番組のＳＩＤ、各番組の時間的な再生位置、および放送波の受信電界強度等が含まれる。
【０１１５】
リスト生成部２３は、受信情報の入力がないと判定した場合（ステップＳ５０２，Ｎｏ）、処理をステップＳ５０９へ移す。また、リスト生成部２３は、受信情報の入力があると判定した場合（ステップＳ５０２，Ｙｅｓ）、入力された受信情報に含まれるがＥＩＤが一時リスト３４に既に存在するＥＩＤか否かを判定する（ステップＳ５０３）。
【０１１６】
そして、リスト生成部２３は、一時リスト３４に既に存在するＥＩＤであると判定した場合（ステップＳ５０３，Ｙｅｓ）、処理をステップＳ５０９へ移す。また、リスト生成部２３は、一時リスト３４に既に存在しないＥＩＤであると判定した場合（ステップＳ５０３，Ｎｏ）、受信情報に含まれるＥＩＤおよびＳＩＤを一時リスト３４に追加する（ステップＳ５０４）。
【０１１７】
続いて、リスト生成部２３は、一時リスト３４へＥＩＤおよびＳＩＤを追加した放送波がメインチューナとして機能している受信部２１によって受信中の放送波と代替可能な放送波か否かを判定する（ステップＳ５０５）。このとき、リスト生成部２３は、前述したステップＳ２０４の判定処理で受信部２１が使用した５つの条件と同一の条件が全て成立した場合に、代替可能な放送波であると判定する。
【０１１８】
そして、リスト生成部２３は、代替可能な放送波でないと判定した場合（ステップＳ５０５，Ｎｏ）、処理をステップＳ５０９へ移す。また、リスト生成部２３は、代替可能な放送波であると判定した場合（ステップＳ５０５，Ｙｅｓ）、直前まで選択されていたＥＩＤとＳＩＤとを対応付けて対応リスト３３に追加する（ステップＳ５０６）。
【０１１９】
続いて、リスト生成部２３は、ステップＳ５０６で対応リスト３３に追加したＥＩＤが対応リスト３３に既に存在するか否かを判定する（ステップＳ５０７）。そして、リスト生成部２３は、対応リスト３３に追加したＥＩＤが対応リスト３３に存在していなかったと判定した場合（ステップＳ５０７，Ｎｏ）、処理をステップＳ５０９へ移す。
【０１２０】
また、リスト生成部２３は、対応リスト３３に追加したＥＩＤが対応リスト３３に既に存在すると判定した場合（ステップＳ５０７，Ｙｅｓ）、既存の方のＥＩＤを対応リスト３３から削除する（ステップＳ５０８）。
【０１２１】
その後、リスト生成部２３は、放送受信装置１の電源がＯＦＦになったか否かを判定し（ステップＳ５０９）、ＯＦＦになっていないと判定した場合（ステップＳ５０９，Ｎｏ）、処理をステップＳ５０２へ移す。また、リスト生成部２３は、放送受信装置１の電源がＯＦＦになったと判定した場合に（ステップＳ５０９，Ｙｅｓ）、処理を終了する。
【０１２２】
上述したように、実施形態に係る放送受信装置は、２つの受信部と、リスト生成部と、記憶部とを備える。一方の受信部は、複数の番組が含まれる放送波を受信して特定の番組を再生する。他方の受信部は、一方の受信部で受信中の放送波とは周波数が異なり、且つ特定の番組が含まれる放送波を受信し、受信状態が一方の受信部よりも良好な場合に、一方の受信部に代わって特定の番組を再生する。
【０１２３】
リスト生成部は、受信部によって受信されて特定の番組が再生された放送波の周波数に付与されたアンサンブル識別情報と、特定の番組に付与された番組識別情報とを対応付けて対応リストを生成する。不揮発性の記憶部は、放送波を探索する場合に他方の受信部によって参照される対応リストを記憶する。これにより、実施形態に係る放送受信装置は、より受信状態が良好な放送局へ切り替えるまでに要する時間を短縮することができる。
【０１２４】
なお、上記した実施形態では、モード選択部が操作受付部によって受付けられたモードの選択操作に応じたモードを選択する場合について説明したが、これはモード選択部の動作の一例である。
【０１２５】
モード選択部は、例えば、第１のモードを選択中に、他の受信部が所定数の放送波を受信しても、特定の番組の受信状態が一方の受信部よりも良好な放送波を受信できない場合に、第２のモードを選択することもできる。
【０１２６】
これにより、放送受信装置は、例えば、受信可能な放送波の周波数が異なる複数のエリアを往復移動する途中で、過去に移動したことがないエリアに入る場合にも、より受信状態が良好な放送局へ切り替えるまでに要する時間を短縮することができる。
【０１２７】
また、上記した実施形態では、放送受信装置が車両に搭載される場合を例に挙げたが、実施形態に係る放送受信装置は、車載装置に限定されるものではない。実施形態に係る放送受信装置は、例えば、デジタル放送を受信する機能を備えたスマートフォンやタブレット型端末装置等、任意の放送受信装置であってもよい。
【０１２８】
また、実施形態に係る放送受信装置が受信する放送波は、ＤＡＢによって放送されるデジタルラジオの放送波に限定されるものではなく、音声や映像の番組が放送される任意のデジタル放送の放送波であってもよい。
【０１２９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１３０】
１  放送受信装置
２  制御部
２１、２１ａ、２１ｂ  受信部
２２  合成部
２３  リスト生成部
２４  モード選択部
２５  操作受付部
３  記憶部
３１  不揮発性記憶部
３２  揮発性記憶部
３３  対応リスト
３４  一時リスト
５  スピーカ
４１、４２  アンテナ
Ｃ  自車両
【図１】
2018148319.tif 000003
【図２】
2018148319.tif 000004
【図３】
2018148319.tif 000005
【図４】
2018148319.tif 000006
【図５】
2018148319.tif 000007
【図６】
2018148319.tif 000008
【図７】
2018148319.tif 000009
【図８】
2018148319.tif 000010
【図９】
2018148319.tif 000011
【図１０】
2018148319.tif 000012